(57)【要約】      （修正有）【課題】本の表紙や台紙などの厚みのあるプレート状のベース部に、ディスクなどを収納したホルダを収納する空間を形成しておき、使用時にベース部の表面を覆う紙層の少なくとも一部を切り離して前記ホルダを引出し、被収納物を取り出すことができるようにした収納物保持構造を提供する。【解決手段】ホルダの下端側に横幅を超えて外方へ延びる一対の抜止め片部を設けており、ベース部にホルダを嵌合可能な空間からなるホルダ収納部を形成し、ホルダ収納部が、ホルダを引き出す方向の前方側をホルダの横幅にほぼ対応した横幅と、ホルダを引き出す所定の長さに相当する長さとに設定された第１凹部と、第１凹部と連接すると共にホルダを引き出す方向の後方側で一対の段部を介して第１凹部の横幅より横幅が拡開されて一対の抜止め片部間の横幅に対応した横幅を有する第２凹部とからなっている。【選択図】図１０
0003110617.tif 000002
【実用新案登録請求の範囲】
【請求項１】
本の裏または表の表紙や台紙などの厚みのあるプレート状のベース部に、ディスクやシートなどの厚みの薄い被収納物を収納したホルダを収納する空間を形成しておき、使用時にベース部の表層紙の少なくとも一部を切り離して前記ホルダを引出し、被収納物を取り出すことができるようにした収納物保持構造において、
ホルダが、該ホルダの下端側にホルダの横幅を超えて外方へ延びる一対の抜止め片部を設けており、
ベース部にホルダを嵌合可能な空間からなるホルダ収納部を形成し、該ホルダ収納部が、ホルダを引き出す方向の前方側をホルダの横幅にほぼ対応した横幅と、ホルダを引き出す所定の長さに相当する長さとに設定された第１凹部と、該第１凹部と連接すると共にホルダを引き出す方向の後方側で一対の段部を介して前記第１凹部の横幅より横幅が拡開されて前記一対の抜止め片部間の横幅に対応した横幅を有する第２凹部とからなっていることを特徴とする収納物保持構造。
【請求項２】
ホルダが、表片と、該表片の下端に連接して折り返される背片と、該背片の上端に連接して折り返され先端が前記表片に重なって開閉可能に封止する蓋片とからなって、該蓋片および表片と背片との間に被収納部を収納可能となっており、該ホルダの表片と背片の折り返し部分の近傍に連接しホルダの横幅を超えて外方へ延びる一対の抜止め片部を設けており、
ベース部に、前記ホルダの全部を嵌合可能な大きさの凹部からなるホルダ収納部を形成し、
該ホルダ収納部が、ホルダを引出す方向の前方側でホルダの横幅に対応した横幅と、ホルダを引き出して蓋片を開きうる所定の長さに相当する長さとに設定された第１凹部と、
該第１凹部と連接すると共にホルダを引出す方向の後方側で、一対の段部を介して前記第１凹部の横幅より横幅が拡開されて前記一対の抜止め片部間の横幅に対応した横幅を有する第２凹部とからなっており、
前記ホルダをホルダ収納部から引き出す際に前記一対の抜止め片部が一対の段部に掛け止められて所定の長さだけホルダを引き出して被収納物を取り出すことができ、被収納物を収納したホルダを収納する際にはホルダをホルダ収納部に押し戻してホルダ収納部に再度収納することができるようになっていることを特徴とする請求項１に記載の収納物保持構造。
【請求項３】
ホルダの蓋片が、該蓋片の中途位置で切込線によって分離された舌状の掛止片部と、該掛止片部の両側に第３折れ線が形成されて蓋片の先端側が掛止片部に対して折り曲げ自在に形成されて該掛止片部と蓋片の先端側とが表片の端部側を上下に挟むように掛け止めるように形成されており、
ベース部の紙層を切り取ってホルダ収納部に開口部を形成した際には、ホルダをホルダ収納部に収納した際に前記ホルダの該掛止片部と蓋片の先端側とが開口部の縁部側を上下に挟むように掛け止めうることを特徴とする請求項２に記載の収納物保持構造。
【請求項４】
収納ホルダの上端の隅部に外方へ突出する摘み部を形成してなることを特徴とする請求項１または２に記載の収納物保持構造。
【考案の詳細な説明】
【技術分野】
【０００１】
本考案は、本の裏または表の表紙や台紙などの厚みのあるプレート状のベース部に、ディスクやシートなどの厚みの薄い被収納物を収納したホルダを収納する空間を形成しておき、使用時にベース部の表面を覆う紙層の少なくとも一部を切り離して前記ホルダを引出し、被収納物を取り出すことができるようにした収納物保持構造に関する。
【背景技術】
【０００２】
従来、本にＣＤ−ＲＯＭなどのディスクを付属させる場合、例えば特開平０５−０８５０８３号公報では、コンパクトディスクを雑誌等の書籍の付録として添付するのに用いられるコンパクトディスク収納体を製造するに際して、印刷機による書籍の本文の印刷時に、印刷機に付属した折り装置のくわえ万力の位置と差込刃の角度を調整することによって刷本のラップ代を大きくし、一部の頁が書籍の仕上り寸法よりも小さく折れるようにして仕上断截を行ない、書籍の頁を構成する紙葉の一部を２枚組で袋状に形成して、当該袋部分をコンパクトディスク収納体とする構成が知られている。
しかし、この場合、書籍の頁の中に袋を設けるので書籍が嵩張ったり、頁をめくりにくいという問題があった。
また、１枚の台紙にディスクを収納する場合には、例えば特開平１０−０７２０７７号公報では、台紙につめを有する切り込みと、つめを有する切り込み及び、丸穴を設け、切り込みに沿って破ってディスクを取り出す構成が知られている。
しかし、この場合、ディスクを取り出した後の台紙は再使用することができない。
上記問題点は、この種のディスクに限らず、シートや写真などの厚みの薄い被収納物を密封しておき、使用時に開封する収納物保持構造に共通の問題であった。
【特許文献１】特開平０５−０８５０８３号公報
【特許文献２】特開平１０−０７２０７７号公報
【考案の開示】
【考案が解決しようとする課題】
【０００３】
この考案は上記事情に鑑みて創案されたものであって、その主たる課題は、台紙や本の表紙の表層を切り離し、内部から被収納物を取り出して使用する構造において、被収納物を台紙や本の表紙に戻して、再度保管することができるようにした収納物保持構造を提供することにある。
【課題を解決するための手段】
【０００４】
上記課題を解決するために、請求項１の考案では、
本の裏または表の表紙や台紙などの厚みのあるプレート状のベース部に、ディスクやシートなどの厚みの薄い被収納物を収納したホルダを収納する空間を形成しておき、使用時にベース部の表層紙の少なくとも一部を切り離して前記ホルダを引出し、被収納物を取り出すことができるようにした収納物保持構造において、
ホルダが、該ホルダの下端側にホルダの横幅を超えて外方へ延びる一対の抜止め片部を設けており、
ベース部にホルダを嵌合可能な空間からなるホルダ収納部を形成し、該ホルダ収納部が、ホルダを引き出す方向の前方側をホルダの横幅にほぼ対応した横幅と、ホルダを引き出す所定の長さに相当する長さとに設定された第１凹部と、該第１凹部と連接すると共にホルダを引き出す方向の後方側で一対の段部を介して前記第１凹部の横幅より横幅が拡開されて前記一対の抜止め片部間の横幅に対応した横幅を有する第２凹部とからなっていることを特徴とする。
また、請求項２の考案では、
前記ホルダが、表片と、該表片の下端に連接して折り返される背片と、該背片の上端に連接して折り返され先端が前記表片に重なって開閉可能に封止する蓋片とからなって、該蓋片および表片と背片との間に被収納部を収納可能となっており、該ホルダの表片と背片の折り返し部分の近傍に連接しホルダの横幅を超えて外方へ延びる一対の抜止め片部を設けており、
ベース部に、前記ホルダの全部を嵌合可能な大きさの凹部からなるホルダ収納部を形成し、
該ホルダ収納部が、ホルダを引出す方向の前方側でホルダの横幅に対応した横幅と、ホルダを引き出して蓋片を開きうる所定の長さに相当する長さとに設定された第１凹部と、
該第１凹部と連接すると共にホルダを引出す方向の後方側で、一対の段部を介して前記第１凹部の横幅より横幅が拡開されて前記一対の抜止め片部間の横幅に対応した横幅を有する第２凹部とからなっており、
前記ホルダをホルダ収納部から引き出す際に前記一対の抜止め片部が一対の段部に掛け止められて所定の長さだけホルダを引き出して被収納物を取り出すことができ、被収納物を収納したホルダを収納する際にはホルダをホルダ収納部に押し戻してホルダ収納部に再度収納することができるようになっていることを特徴とする。
また、請求項３の考案では、
前記ホルダの蓋片が、該蓋片の中途位置で切込線によって分離された舌状の掛止片部と、該掛止片部の両側に第３折れ線が形成されて蓋片の先端側が掛止片部に対して折り曲げ自在に形成されて該掛止片部と蓋片の先端側とが表片の端部側を上下に挟むように掛け止めるように形成されており、
ベース部の紙層を切り取ってホルダ収納部に開口部を形成した際には、ホルダをホルダ収納部に収納した際に前記ホルダの該掛止片部と蓋片の先端側とが開口部の縁部側を上下に挟むように掛け止めうることを特徴とする。
更に、請求項４の考案では、
前記収納ホルダの上端の隅部に外方へ突出する摘み部を形成してなることを特徴とする。
【考案の効果】
【０００５】
本考案の収納物保持構造では、使用前には台紙などのベース部にホルダを密封しておき、使用時には表層紙を切り離してベース部内のホルダ収納部に開口部を形成してホルダを引き出すことができる。
該ホルダ部には抜止め片部が形成されており、ホルダは所定長さ以上に引き出されることがないので、ホルダの抜け落ちや散逸を防止することができる。
また、被収納物の不使用時にはホルダに戻し、該ホルダを再度、ホルダ収納部に戻して収納することができる。
これにより、被収納物は、使用時に限らず不使用時においても台紙などのベース部に形成されたホルダ収納部に出入することができる。
【考案を実施するための最良の形態】
【０００６】
ホルダの下端側にホルダの横幅を超えて外方へ延びる一対の抜止め片部を設け、ホルダ収納部に、ホルダの横幅にほぼ対応した第１凹部と、該第１凹部に段部を介して拡開する第２凹部を連接して一対の抜止め片部を前記段部で拘束する構成によって、ホルダの再使用を実現した。
【実施例１】
【０００７】
［収納物保持構造］
以下に、本考案の収納物保持構造の好適実施例について図面を参照しながら説明する。
図１は、ベース部２の一例として示す書籍２０の表紙２１（表でも裏でもよい）に収納物保持構造１を設けた斜視図、図２は台紙２５に収納物保持構造１を設けた斜視図である。
この収納物保持構造１は、上記のように書籍の裏または表の表紙２１や台紙２５などの厚みのあるプレート状のベース部２に、ＣＤ−ＲＯＭやＤＶＤなどのディスクや、写真などのシート類のような厚みの薄い被収納物Ｄを収納したホルダ１０を収納する空間としてのホルダ収納部３を形成している。
【０００８】
［ホルダ］  
ホルダ１０は、本実施例では紙材からなるが折り曲げ可能な薄い合成樹脂であってもよく、図３〜図５に示すように、ホルダ１０の下端側にホルダ１０の横幅Ｗ１を超えて外方へ延びる一対の抜止め片部１５を有している。
即ち、ホルダ１０は、四角形の表片１１と、該表片１１の下端に第１折れ線Ｌ１を介して連接して裏側へ折り返される前記表片１１より長く設定された四角形の背片１２と、該背片１２の上端に第２折れ線Ｌ２を介して連接して表側に折り返され、先端が前記表片１１に重なる位置まで延びており、該背片１２と重なって開閉可能に封止する蓋片１３とからなっている。
【０００９】
［抜止め片部］
そして、蓋片１３および表片１１と背片１２との間に被収納部Ｄを収納可能としており、該ホルダ１０の表片１１と背片１２の折り返し部分（第１折れ線Ｌ１）の近傍には、ホルダ１０の横幅Ｗ１を超えて外方へ延びる一対の抜止め片部１５、１５を連接している。
【００１０】
［掛止片］
また、前記ホルダの蓋片１３には、図３で明瞭なように、その中途位置に切込線Ｌ４によって舌状（図示例では円弧状）の掛止片部１４が形成されている。
また、この掛止片部１４の外側となる蓋片１３には、掛止片部１４を跨いで蓋片１３を基端側の蓋片本体部１３ａと蓋片の先端で円弧状に形成される蓋片先端部１３ｂとを折り曲げ可能とする一対の第３折れ線Ｌ３が形成されている。
これにより蓋片本体部１３ａと掛止片部１４とは同一平面上となり、前記蓋片先端部１３ｂが第３折れ線Ｌ３を基準線として表側または裏側に折り曲げることができるようになっている。
【００１１】
上記構成からなっているので、ホルダ１０の背片１２の表側（内側）に、ディスクなどの被収納部Ｄを載置し、表片１１と蓋片１３を表側に折り返し、前記表片１１の先端が蓋片先端部１３ｂの下で、掛止片部１４の上となるように差し込んで、ホルダ１０を開閉可能に封止する（図４参照）。
【００１２】
［摘み部］
また、ホルダ１０の上端の隅部には、外方へ突出する摘み片部１６を形成している。
図示例の場合、図３に示すように、背片１２と蓋片１３の折り曲げ個所において、背片１３側の角部が斜めに切欠かれた切欠部１７となっており、これと対峙する蓋片１３の角部には上記切欠部に対応して切欠かれると共に中央で切欠部分へ突出する摘み片部１６が形成されている。
これにより、ホルダ１０が形成された際に、図４に示すように上端の隅部の切込み部分のエリア内に突出する摘み片部１６が形成される。
【００１３】
［ホルダ収納部］
ホルダ収納部３は、図５及び図８に示すように、ベース部２内に形成された凹部からなっており、ホルダ１０を引き出す方向（ａ方向）の前方側をホルダ１０の横幅Ｗ１にほぼ対応した横幅Ｗ１’と、ホルダ１０の抜止め片１５を除いた長さＬにほぼ相当する長さＬ’とに設定された第１凹部３Ａと、該第１凹部３Ａに連続すると共にホルダ１０を引き出す方向の後方側で一対の段部４、４を介して前記第１凹部３Ａの横幅Ｗ１’より拡開されて前記一対の抜止め片部１５、１５間の横幅Ｗ２にほぼ対応した横幅Ｗ２’とホルダ１０を引き出す所定の長さＳに抜止め片部１５の長さを足した長さに相当する長さＳ’とを有する第２凹部３Ｂとからなっている。
【００１４】
また、このホルダ収納部３の開口は、ベース部２の表面を覆う表層紙５で塞がれており、該表層紙５には、少なくともホルダ収納部３を前記引出方向（ａ）寄りで開口するための切り離し用の切り取り線Ｌ５が形成されている。
この切り取り線Ｌ５は、図５に示すように、ベース部２の端部から延びており前記ホルダ収納部３の中途位置まで延びている。
そして、図６に示すように、ホルダ収納部３内に、前記ホルダ１０が嵌合されている。
【００１５】
使用に際しては、図７に示すように、前記切り取り線Ｌ５に沿って表層紙５の一部を切り離すと開口部５ａが形成され、ホルダ収納部３の引出し方向（ａ）寄りの一部が開口する。
そこで、前記摘み片部１６を持ってホルダ１０を外側へ向かって引出方向（ａ方向）に所定のストロークＳだけ引き出す（図７、図８参照）。
これにより、ホルダ１０は、蓋片１３が完全に露出する位置まで引き出される。
【００１６】
そこで、前記蓋片１３を表片１１との掛止を外して開くと、図９に示すようにホルダ１０に収納された被収納物Ｄが取り出し可能にあらわれる。
この被収納物Ｄはホルダ１０から取り出されて使用に供することができる。
次いで、被収納物Ｄの使用が済んで、再度収納する場合には、前記手順と逆に被収納物Ｄをホルダ１０の背片１２の表側に入れて蓋片１３を掛止める。
【００１７】
この際に、前記掛止とは逆に、前記表片１１の先端が蓋片先端部１３ｂの上で、掛止片部１４の下となるように差し込んで、ホルダ１０を開閉可能に封止する（図１０参照）。
そして、ホルダ１０をホルダ収納部３に押し戻してホルダ１０を完全にホルダ収納部３内に嵌合するが、その際に、前記掛止片部１４は、表層紙５の開口部５ａの基端側の縁部５ａ’を表片１１の上で掛止片部１４の下となるように挟んで掛止める。
これにより、ホルダ１０は、ホルダ収納部３内で係止することができ、不用意にホルダ収納部３から抜け落ちることがない。
【００１８】
上記実施例では、ホルダを略正方形としたが、その形状は特に限定されるものではなく円形状などでもよい。
また、ホルダを封止する構造として掛止片部を用いたが、上記構成に限定されるものではない。
また、摘み部片の形状なども要するにホルダの横幅の範囲内で掴みやすく形成されていればよい。
その他、要するにこの発明の要旨を変更しない範囲で種々設計変更しうること勿論である。
【図面の簡単な説明】
【００１９】
【図１】収納物保持構造を表紙に設けた書籍の斜視図である。
【図２】収納物保持構造を設けた台紙の斜視図である。
【図３】展開したホルダの斜視図である。
【図４】折畳んだホルダの斜視図である。
【図５】（ａ）はホルダ収納部を有するベース部の要部平面図、（ｂ）はホルダの平面図である。
【図６】ホルダ収納部の表層紙を切り離した開口した状態の要部平面図である。
【図７】ホルダを使用位置まで引き出した状態の要部平面図である。
【図８】ホルダ収納部の断面図である。
【図９】図７のホルダを開いた状態の要部平面図である。
【図１０】不使用時にホルダを再収納した場合の要部平面図である。
【符号の説明】
【００２０】
１    収納物保持構造
２    ベース部
３    ホルダ収納部
３Ａ  第１凹部
３Ｂ  第２凹部
４    段部
５    表層紙
６    切取線
５ａ  開口部
Ｄ    被収納物
１０    ホルダ
１１    表片
１２    背片  
１３    蓋片  
１３ａ  蓋片本体部
１３ｂ  蓋片先端部
１４    掛止片部
１５    抜止め片部  
１６    摘み片部
【図１】
0003110617.tif 000003
【図２】
0003110617.tif 000004
【図３】
0003110617.tif 000005
【図４】
0003110617.tif 000006
【図５】
0003110617.tif 000007
【図６】
0003110617.tif 000008
【図７】
0003110617.tif 000009
【図８】
0003110617.tif 000010
【図９】
0003110617.tif 000011
【図１０】
0003110617.tif 000012